(57)【要約】【課題】落下衝撃やレンズ枠移動時の振動などによって流出してしまうこと無く、支持ワイヤの周囲に効果的にゲル材を保持する。【解決手段】レンズ駆動装置１は、レンズ枠６と、板バネ８を介してレンズ枠６を光軸方向に移動可能に支持する可動枠２と、光軸方向に延設される支持ワイヤ９を介して可動枠２を光軸と交差する方向に移動可能に支持するベース部材３とを備え、可動枠２又はベース部材３は、支持ワイヤ９の周囲の一部を囲み支持ワイヤ９の長手方向に沿った保持長さＬを有するゲル材保持部１４を備え、ゲル材保持部１４には、支持ワイヤ９の長手方向の一端側又は両端側に、支持ワイヤ９の周囲の一部を囲むように支持ワイヤ９に向けて突出する凸状部１４Ａが設けられている。【選択図】図４
2018173580.tif 000002
【特許請求の範囲】
【請求項１】
レンズ枠と、
板バネを介して前記レンズ枠を光軸方向に移動可能に支持する可動枠と、
光軸方向に延設される支持ワイヤを介して前記可動枠を光軸と交差する方向に移動可能に支持するベース部材とを備え、
前記可動枠又は前記ベース部材は、前記支持ワイヤの周囲の一部を囲み前記支持ワイヤの長手方向に沿った保持長さを有するゲル材保持部を備え、
該ゲル材保持部には、前記支持ワイヤの長手方向の一端側又は両端側に、前記支持ワイヤの周囲の一部を囲むように前記支持ワイヤに向けて突出する凸状部が設けられていることを特徴とするレンズ駆動装置。
【請求項２】
前記支持ワイヤの先端部は、前記板バネの支持端部に固定されており、前記ゲル材保持部は、前記支持端部から離間した位置に配置されていることを特徴とする請求項１記載のレンズ駆動装置。
【請求項３】
前記ゲル材保持部は、前記支持ワイヤの光軸側を囲み、前記支持ワイヤの光軸とは逆側を開放していることを特徴とする請求項１又は２記載のレンズ駆動装置。
【請求項４】
請求項１〜３のいずれか１項に記載されたレンズ駆動装置を備えた撮像装置。
【請求項５】
請求項１〜３のいずれか１項に記載されたレンズ駆動装置又は請求項４に記載された撮像装置を備えた携帯電子機器。
【発明の詳細な説明】
【技術分野】
【０００１】
本発明は、レンズ駆動装置に関するものである。
【背景技術】
【０００２】
レンズ駆動装置は、レンズが可動枠に支持され、可動枠が移動自在にベース部材に支持されており、可動枠にマグネットとコイルの一方を固定し、ベース部材にマグネットとコイルの他方を固定して、マグネットとコイルとの間の電磁駆動力によって、ベース部材に対して可動枠を移動することで、オートフォーカス（ＡＦ：Autofocus）や手振れ補正（ＯＩＳ：Optical Image Stabilizer）などを行うものである。
【０００３】
このようなレンズ駆動装置は、レンズバレルが取り付けられるレンズ枠が、板バネを介して可動枠に支持されており、レンズ枠はレンズの光軸方向に沿って移動可能になっている。また、可動枠は、ベース部材からレンズの光軸方向に沿って配備される支持ワイヤによって吊り下げ状に支持されており、支持ワイヤの振れによってレンズの光軸とは交差する方向に移動可能に支持されている（下記特許文献１参照）。
【先行技術文献】
【特許文献】
【０００４】
【特許文献１】特開２０１６−１４７０５号公報
【発明の概要】
【発明が解決しようとする課題】
【０００５】
このようなレンズ駆動装置は、レンズ枠が板バネや支持ワイヤといった弾性部材を介して支持されているため、レンズ枠が振動しやすい構造になっている。レンズ枠や可動枠を移動させる際にレンズ枠に生じる振動は、レンズの位置制御に悪影響を及ぼすので、精度が高く、応答性の良好な、レンズ位置の制御を行うためには、レンズ枠の振動を速やかに減衰させることが必要になる。
【０００６】
レンズ枠は、支持ワイヤの振れによって大きな振動が加わるので、支持ワイヤの振れを抑制することは、レンズ枠の振動抑制に効果的である。従来、支持ワイヤの振れを抑制するために、支持ワイヤの周囲に振動減衰用のゲル材を設けることが知られている。しかしながら、ゲル材は、流動性があるため、落下や振動によって流れ出してしまう虞があり、常時支持ワイヤの周囲に減衰に有効な状態で保持しておくことが難しい問題がある。
【０００７】
本発明は、このような事情に対処することを課題としており、落下衝撃やレンズ枠移動時の振動などによってゲル材が流出してしまうことを抑止し、支持ワイヤの周囲に効果的にゲル材を保持すること、などが本発明の課題である。
【課題を解決するための手段】
【０００８】
このような課題を解決するために、本発明によるレンズ駆動装置は、以下の構成を具備するものである。
【０００９】
レンズ枠と、板バネを介して前記レンズ枠を光軸方向に移動可能に支持する可動枠と、光軸方向に延設される支持ワイヤを介して前記可動枠を光軸と交差する方向に移動可能に支持するベース部材とを備え、前記可動枠又は前記ベース部材は、前記支持ワイヤの周囲の一部を囲み前記支持ワイヤの長手方向に沿った保持長さを有するゲル材保持部を備え、該ゲル材保持部には、前記支持ワイヤの長手方向の一端側又は両端側に、前記支持ワイヤの周囲の一部を囲むように前記支持ワイヤに向けて突出する凸状部が設けられていることを特徴とするレンズ駆動装置。
【図面の簡単な説明】
【００１０】
【図１】本発明の実施形態に係るレンズ駆動装置の全体構成を示した分解斜視図である。
【図２】本発明の実施形態に係るレンズ駆動装置の組み立て図（（ａ）が平面図、（ｂ）が側面図）である。
【図３】（ａ）が図２（ａ）におけるＡ１−Ａ１断面図であり、（ｂ）が図２（ａ）におけるＡ２−Ａ２断面図である。
【図４】本発明の要部説明図（斜視図）である。
【図５】本発明の要部説明図（側面図）である。
【図６】（ａ）がレンズ駆動装置を備える撮像装置の説明図、（ｂ）がレンズ駆動装置を備える携帯電子機器（携帯情報端末）の説明図である。
【発明を実施するための形態】
【００１１】
以下、図面を参照して本発明の実施形態を説明する。以下の説明で、異なる図における同一符号は同一機能の部位を示しており、各図における重複説明は適宜省略する。図示のＸ−Ｙ方向はレンズの光軸に直交する方向を指しており、Ｚ方向が図示省略したレンズの光軸方向を指している。
【００１２】
図１〜図５に示すように、レンズ駆動装置１は、レンズ枠６と、レンズ枠６を光軸方向に移動可能に支持する可動枠２と、可動枠２を光軸と交差する方向に移動可能に支持するベース部材３とを備えている。また、図示の例では、レンズ枠６と可動枠２とベース部材３を覆うカバー部材４を備えている。
【００１３】
可動枠２には、複数のマグネット５が固定されている。図示の例では、可動枠２は、平面視矩形の外縁を有する筒状部材であり、その角部内側にマグネット５を保持するマグネット保持部２Ａを備えている。
【００１４】
可動枠２には、レンズ枠６が移動自在に支持されている。レンズ枠６は、図示省略したレンズバレルが取り付けられるねじ部６Ａを備えた円筒部材であり、外周に設けられるコイル保持部６Ｂにフォーカスコイル７が巻回されている。レンズ枠６は、筒状部材である可動枠２の内側に配置され、可動枠２に固定されたマグネット５とフォーカスコイル７との間に磁気ギャップが形成されている。
【００１５】
レンズ枠６は、板バネ８を介して光軸方向（図示Ｚ方向）に沿って移動可能に支持されている。板バネ８は、レンズ枠６の下端部６Ｃと可動枠２の下端部２Ｂとを弾性的に連結する下板バネ８Ａと、レンズ枠６の上端部６Ｄと可動枠２の上端部２Ｃとを弾性的に連結する上板バネ８Ｂ，８Ｃを備えている。上板バネ８Ｂ，８Ｃは、左右対称の２部材によって構成されている。
【００１６】
可動枠２は、支持ワイヤ９を介してベース部材３に移動自在に支持されている。ベース部材３は、開口３Ａを有しており、開口３Ａの周囲にＸ−Ｙ平面に沿った支持面３Ｂが設けられている。
【００１７】
支持ワイヤ９は、図示Ｚ方向（光軸方向）に沿って延設されており、その一端がベース部材３側（ベース部材３に設けられる配線部材）に固定され、他端が可動枠２に固定される上板バネ８Ｂ，８Ｃに固定されている。これにより、可動枠２は、支持ワイヤ９によって吊り下げ支持されており、支持ワイヤ９の撓みによってＸ−Ｙ方向（光軸と交差する方向）に移動可能に支持されている。図示の例では、支持ワイヤ９は複数本（４本）設けられ、平面視矩形の外縁を有するベース部材３の四隅には、支持ワイヤ９の一端が固定され、その外側に可動枠２の可動範囲を制限するストッパ３Ｃが設けられている。
【００１８】
そして、ベース部材３には、駆動用のコイル１０が設けられ、カバー部材４には位置センサ１１が設けられている。図示の例では、位置センサ１１をカバー部材４に設ける例を示しているが、位置センサ１１は、コイル１０と同様に、ベース部材３の支持面３Ｂに設けても良い。
【００１９】
カバー部材４は、図示省略したレンズに光を取り込む開口４Ａを有し、レンズ枠６と可動枠２とベース部材３の支持面３Ｂを囲むように配置され、基端部４Ｃがベース部材３の外周部に支持される。
【００２０】
このカバー部材４は、支持面４Ｂに位置センサ１１を支持するセンサ支持部４Ｄが設けられると共に、配線部材１２が設けられている。配線部材１２は、例えば、リードフレームであり、樹脂製のカバー部材４に一体成形（インサート成形）されている。配線部材１２の一端側は端部１２Ａであり、端部１２Ａは、カバー部材４の基端部４Ｃから引き出され、回路基板との接続端子になっている。
【００２１】
ベース部材３は、支持面３Ｂにコイル支持部３Ｄが設けられており、このコイル支持部３Ｄにコイル１０が取り付けられている。ベース部材３には、コイル１０に接続される配線部材１３が設けられている。配線部材１３は、例えば、リードフレームであり、樹脂製のベース部材３に一体成形（インサート成形）されている。配線部材１３の一端側は端部１３Ａであり、端部１３Ａは、ベース部材３の外周縁から引き出され、回路基板との接続端子になっている。また、配線部材１３の他端側は、コイル支持部３Ｄに設けられる端子部であり、コイル１０に引き出し線に接続される。
【００２２】
図示のレンズ駆動装置１は、可動枠２が、ベース部材３に対して、レンズの光軸と交差する方向（Ｘ−Ｙ方向）に沿って移動可能に支持され、可動枠２には、レンズ枠６がレンズの光軸方向（Ｚ方向）に沿って移動可能に支持されており、コイル１０への通電で、可動枠２をＸ−Ｙ方向に移動させ、フォーカスコイル７への通電で、レンズ枠６をＺ方向に移動させる。
【００２３】
コイル１０への通電は、ベース部材３に設けた配線部材１３を介して行われ、可動枠２のＸ−Ｙ方向の移動は、可動枠２に固定されているマグネット５の動きをカバー部材４に設けた位置センサ１１が検出し、その検出信号がカバー部材４に設けた配線部材１２を介して、外部の回路基板に出力される。また、フォーカスコイル７への通電は、フォーカスコイル７の一対の引き出し線が上板バネ８Ｂ，８Ｃにそれぞれ接続されており、ベース部材２に設けた配線部材から、支持ワイヤ９と上板バネ８Ｂ，８Ｃを経由して通電される。
【００２４】
支持ワイヤ９の上端部９Ａは、図４及び図５に示すように、上板バネ８Ｂ（８Ｃ）の支持端部８Ｂ１（８Ｃ１）に半田付けされて固定されている。そして、その下方には、ゲル材保持部１４が設けられている。ゲル材保持部１４は、図示の例では、可動枠２に備えられており、支持ワイヤ９の周囲の一部を囲み、且つ支持ワイヤ９の長手方向に沿った保持長さＬを有する空間であって、その空間に、支持ワイヤ９の振動を減衰させるためのゲル材Ｇが収容される。
【００２５】
ゲル材保持部１４は、支持ワイヤ９の長手方向の両端側に、支持ワイヤ９の周囲の一部を囲むように支持ワイヤ９に向けて突出する凸状部１４Ａが設けられている。図示の例では、支持ワイヤ９の長手方向両側に凸状部１４Ａを設けているが、支持ワイヤ９の長手方向一端側のみに凸状部１４Ａを設けたものであってもよい。また、図示の例では、可動枠２にゲル材保持部１４を設けているが、ベース部材３側に、同様のゲル材保持部１４を設けてもよい。ベース部材３側にゲル材保持部１４を設ける場合には、ストッパ３Ｃの内側などに設けることができる。
【００２６】
このようなゲル材保持部１４を備えたレンズ駆動装置１は、ゲル材Ｇが凸状部１４Ａの内側で保持されるので、可動材２の移動や落下衝撃などが加わった場合にも、簡単にゲル材が流出されるのを抑止することができ、常時支持ワイヤ９にゲル材を接触させておくことで、支持ワイヤ９に加わる振動を速やかに減衰させることができる。
【００２７】
ゲル材保持部１４の保持長さＬは、支持ワイヤ９の減衰性能を調整する上で重要である。支持ワイヤ９の長手方向に沿って所望の保持長さＬを設定することで、効果的に減衰性能を高めることができる。また、ゲル材保持部１４は、上板バネ８Ｂ（８Ｃ）の支持端部８Ｂ１（８Ｃ１）から離間した位置に配置されている。これによって、上板バネ８Ｂ（８Ｃ）にゲル材Ｇが接触して、上板バネ８Ｂ（８Ｃ）のバネ特性に悪影響を及ぼすことを回避している。
【００２８】
更に、支持ワイヤ９の周囲の一部を囲むゲル材保持部１４は、支持ワイヤ９の光軸側を囲み、支持ワイヤ９の光軸とは逆側は開放されている。これによると、カバー部材４を外すことで、簡単に開放された側からゲル材保持部１４にゲル材を注入することができる。これにより、組み立ての最終段階で確実にゲル材保持部１４にゲル材Ｇを注入することができる。
【００２９】
以上説明したように、本発明の実施形態に係るレンズ駆動装置１は、ゲル材保持部１４に、支持ワイヤ９に向けて突出する凸状部１４Ａを設けることで、ゲル材Ｇがゲル材保持部１４から流出してしまうのを抑止することができる。これによって、支持ワイヤ９の振動を速やかに減衰させることで、精度の高いレンズの位置制御を応答性良く行うことができる。
【００３０】
このような、レンズ駆動装置１は、図６（ａ）に示すような撮像装置１００に装備することができ、精度の高いオートフォーカス性能或いは手振れ補正性能を発揮することができる。また、図６（ｂ）に示すような携帯電子機器（携帯情報端末）２００のカメラユニットなどに組み込むことで、撮像機能の高機能化を可能にして、付加価値の高い携帯電子機を提供することができる。
【００３１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３２】
１：レンズ駆動装置，
２：可動枠，２Ａ：マグネット保持部，２Ｂ：下端部，２Ｃ：上端部，
３：ベース部材，３Ａ：開口，３Ｂ：支持面，３Ｃ：ストッパ，
３Ｄ：コイル支持部，
４：カバー部材，４Ａ：開口，４Ｂ：支持面，
４Ｃ：基端部，４Ｄ：センサ支持部，
５：マグネット，
６：レンズ枠，６Ａ：ねじ部，６Ｂ：コイル保持部，
６Ｃ：下端部，６Ｄ：上端部，
７：フォーカスコイル，
８：板バネ，８Ａ：下板バネ，８Ｂ，８Ｃ：上板バネ，
８Ｂ１，８Ｃ１：支持端部，
９：支持ワイヤ，９Ａ：上端部，
１０：コイル，１１：位置センサ，
１２，１３：配線部材，１２Ａ，１３Ａ:端部，
１４：ゲル材保持部，１４Ａ：凸状部，
１００：撮像装置，２００：携帯電子機器（携帯情報端末）
【図１】
2018173580.tif 000003
【図２】
2018173580.tif 000004
【図３】
2018173580.tif 000005
【図４】
2018173580.tif 000006
【図５】
2018173580.tif 000007
【図６】
2018173580.tif 000008